(57)【要約】【課題】各種電子機器の操作部に用いられるパネルスイッチに関し、小型で安価なものを提供することを目的とする。【解決手段】上面に中央固定接点２２とその周囲を囲む常接固定接点２３、さらに中央固定接点２２を中心として前後左右の４方向に方向用固定接点２４，２５，２６，２７を配した回路基板２１上に、略円形の外縁から内側に向けて所定の間隔で平行に切り込まれた２つを１組とするスリット２８Ａが、直交する４方向にそれぞれ設けられて、上記１組のスリット２８Ａに挟まれて形成された舌片２９，３０，３１，３２を直交する４方向に備えた可動接点２８を、その外周下端を常接固定接点２３上に当接載置させ、絶縁シート３３で覆った構成とした。【選択図】図１
2010140735.tif 000002
【特許請求の範囲】
【請求項１】
固定接点を備えた回路基板上に、可動接点が配され、その上から絶縁シートで覆った構成とされ、その絶縁シート上方からの上記可動接点への押圧操作により上記固定接点間が導通されるパネルスイッチであって、上記可動接点を、弾性を備えた金属板からなる下方開口の円形ドーム状で、直交する４方向の外縁近傍に、その下端が上記円形ドーム状の外周下端より上方に位置した舌片を一体に備えたものとし、上記固定接点を、上記可動接点の外周下端が当接載置される常接固定接点と上記４つの舌片下方にそれぞれ対応して位置する４つの方向用固定接点とドーム状頂点部の下方に対応して位置する中央固定接点とからなるものとしたことを特徴とするパネルスイッチ。
【請求項２】
絶縁シート下面に設けられた粘着剤が、可動接点の４つの舌片に対応した位置は除かれた形態に形成されていることを特徴とする請求項１記載のパネルスイッチ。
【発明の詳細な説明】
【技術分野】
【０００１】
本発明は、各種電子機器の操作部等に用いられるパネルスイッチに関するものである。
【背景技術】
【０００２】
近年、携帯電話機に代表されるような携帯用電子機器は、小型化と薄型化が著しく進んでいる。それらの操作部に用いられるパネルスイッチとしては、固定接点を備えた回路基板上に金属板製の可動接点を配し、その上から絶縁シートで覆った構成のものが薄型化に好適であり多く用いられている。
【０００３】
このような従来のパネルスイッチについて、図５〜図６を用いて説明する。
【０００４】
図５は従来のパネルスイッチの分解斜視図であり、同図において、１は回路基板であり、その上面には中央固定接点２Ａとその外側に位置した周囲固定接点２Ｂが対になった固定接点２が、回路基板１の中央とその前後左右方向とで合計５対設けられている。なお、各中央固定接点２Ａおよび各周囲固定接点２Ｂは、図示しない電子機器の回路にそれぞれ繋がっている。
【０００５】
３は上方に膨らんだ円形ドーム状をした弾性金属薄板からなる可動接点で、上記５対の固定接点２それぞれの位置に合わせて５つが配置され、その外周下端が周囲固定接点２Ｂ上に当接し、ドーム状頂点部下面が中央固定接点２Ａと間隔をあけて対面している。
【０００６】
５は合成樹脂フィルムからなる絶縁シートで、下面全面に備えた粘着剤４で可動接点３の上面を粘着保持して回路基板１上に貼付されており、これらで従来のパネルスイッチは構成されている。
【０００７】
このように構成された従来のパネルスイッチの動作について、図６の電子機器に搭載された状態の断面図を用いて説明する。
【０００８】
１１はシリコーン樹脂等から形成された操作ボタンで、上記パネルスイッチの上方に配置されており、パネルスイッチの５ヶ所の可動接点３位置に対応した５ヶ所の位置それぞれに上方に突出する操作部１１Ａと下方に突出する押圧部１１Ｂが設けられている。そして、１２は電子機器の操作パネルであり、上記操作ボタン１１の各操作部１１Ａを上方に突出させるボタン孔１２Ａが設けられている。
【０００９】
このように搭載されたパネルスイッチにおいて、操作パネル１２の操作部中央のボタン孔１２Ａから突出した操作ボタン１１の操作部１１Ａを押し下げると、下面の押圧部１１Ｂが絶縁シート５を介して中央位置に配設された可動接点３のドーム状頂点部を押圧する。そして所定の押圧力を超えると上記可動接点３のドーム状部分が下方凸形に弾性反転し、その下面が対面した回路基板１の中央固定接点２Ａに接触して、対となった周囲固定接点２Ｂと中央固定接点２Ａ間が導通する。そして、押圧力を解除すると、上記可動接点３が元のドーム状に自己復帰して中央固定接点２Ａから離れて、元の絶縁された状態に戻る。
【００１０】
また、前後および左右それぞれに突出した各操作部１１Ａにおいても、操作部１１Ａを押し下げることによりそれぞれ上述と同様の動作をして、押圧された位置のスイッチが機能するものであった。
【００１１】
なお、この出願の発明に関連する先行技術文献情報としては、例えば、特許文献１が知られている。
【特許文献１】特開２００６−２１６２９０号公報
【発明の開示】
【発明が解決しようとする課題】
【００１２】
しかしながら上記従来のパネルスイッチにおいては、固定接点２付きの回路基板１、５つの可動接点３および絶縁シート５という簡単な構成によるものであり、さらなる低価格化要望に対応することが難しいという課題があった。
【００１３】
本発明は、このような従来の課題を解決するものであり、１つの可動接点で５つのスイッチ機能を備えさせることが可能な小型で安価なパネルスイッチを提供することを目的とする。
【課題を解決するための手段】
【００１４】
上記目的を達成するために本発明は、以下の構成を有するものである。
【００１５】
本発明の請求項１に記載の発明は、固定接点を備えた回路基板上に、可動接点が配され、その上から絶縁シートで覆った構成とされ、その絶縁シート上方からの上記可動接点への押圧操作により上記固定接点間が導通されるパネルスイッチであって、上記可動接点を、弾性を備えた金属板からなる下方開口の円形ドーム状で、直交する４方向の外縁近傍に、その下端が上記円形ドーム状の外周下端より上方に位置した舌片を一体に備えたものとし、上記固定接点を、上記可動接点の外周下端が当接載置される常接固定接点と上記４つの舌片下方にそれぞれ対応して位置する４つの方向用固定接点とドーム状頂点部の下方に対応して位置する中央固定接点とからなるものとしたことを特徴とするパネルスイッチであり、絶縁シートを介して、可動接点の中央部を押圧すれば中央部下方に位置する中央固定接点に接触し、舌片部を押圧すればその押圧された舌片部下方に位置する方向用固定接点に接触して、それぞれが各スイッチとして機能するものとしたので、１つの可動接点で５つのスイッチ機能を備えさせることができ、これにより可動接点の使用数を削減して小型で安価なパネルスイッチを提供することができるという作用を有する。
【００１６】
請求項２に記載の発明は、請求項１記載の発明において、絶縁シート下面に設けられた粘着剤が、可動接点の４つの舌片に対応した位置は除かれた形態に形成されていることを特徴とするものであり、舌片部分が粘着されていないため、押圧時とその解除時の舌片の動作が抑制されずに、追従性の良い動作状態のものが得られるという作用を有する。
【発明の効果】
【００１７】
以上のように本発明によれば、１つの可動接点で５つのスイッチ機能を備えさせることができるため、使用部品点数を削減して小型で安価なパネルスイッチを提供することができるという有利な効果が得られる。
【発明を実施するための最良の形態】
【００１８】
以下、本発明の実施の形態について、図１〜図４を用いて説明する。
【００１９】
（実施の形態）
図１は本発明の一実施の形態によるパネルスイッチの分解斜視図である。
【００２０】
同図において、２１は上面に固定接点を備えた回路基板であり、上記固定接点は、中央に円形の中央固定接点２２とその中央固定接点２２の周囲を囲むように常接固定接点２３が配され、さらに中央固定接点２２を中心として前後左右の４方向の箇所それぞれに方向用固定接点２４，２５，２６，２７が配されている。この４つの方向用固定接点２４，２５，２６，２７は、上記常接固定接点２３の円形リング幅内の位置で、常接固定接点２３に対しそれぞれ独立して設けられている。また、上述した各固定接点間はいずれの間も電気的に独立している。
【００２１】
なお、上記中央固定接点２２、常接固定接点２３および各方向用固定接点２４〜２７はスルーホール２２Ａ，２３Ａ，２４Ａ，２５Ａ，２６Ａ，２７Ａを介して図示しない電子機器の回路にそれぞれ繋がっている。
【００２２】
２８は下方開口で円形のドーム状をしたステンレス鋼などの弾性金属薄板からなる可動接点であり、円形の外縁から内側に向けて所定の間隔で平行に切り込まれた２つを１組とするスリット２８Ａが、直交する４方向にそれぞれ設けられて、上記１組のスリット２８Ａに挟まれて形成された舌片２９，３０，３１，３２を直交する４方向に一体に備えている。そして、各舌片２９，３０，３１，３２の先端部は上方に向く円弧状の曲げが設けられて、各下端は円形ドーム状の外周下端より上方に位置するようになされている。
【００２３】
この可動接点２８は、その円形ドーム状の外形部の外周下端が上記回路基板２１の常接固定接点２３上に当接載置されており、ドーム状の頂点部下面は間隔をあけて中央固定接点２２と対面し、４つの舌片２９，３０，３１，３２は各方向用固定接点２４，２５，２６，２７と間隔をあけて対面している。なお、常接固定接点２３上に当接載置された外周下端は、各方向用固定接点２４，２５，２６，２７に当接しない周方向での大きさに設定している。
【００２４】
３３は下面に粘着剤３４を備えたＰＥＴ樹脂フィルムなどからなる絶縁シートで、可動接点２８の上面を覆って、上記粘着剤３４で回路基板２１上に粘着維持されている。
【００２５】
なお、絶縁シート３３下面の粘着剤３４で、可動接点２８は位置決め保持されているが、この粘着剤３４パターンは、可動接点２８の４つの舌片２９，３０，３１，３２の上面に対応した部分は設けられていない非粘着部分になされており、各舌片２９，３０，３１，３２の上面は粘着状態となっていない構成としている。
【００２６】
以上のように構成されたパネルスイッチの動作について、図２の電子機器に搭載された状態の断面図を用いて説明する。
【００２７】
３５はシリコーン樹脂等から形成された操作ボタンであり、上述のパネルスイッチの上方に配置されている。この操作ボタン３５には可動接点２８のドーム状の頂点部に対応した位置に中央ボタン３６が設けられ、４つの舌片２９，３０，３１，３２に対応した４つの位置それぞれに方向用ボタン３７，３８，３９，４０（方向用ボタン３９，４０は図中には表れず）が設けられている。
【００２８】
この操作ボタン３５の中央ボタン３６は、上方に突出する中央操作部３６Ａと下方に突出する中央押圧部３６Ｂからなり、方向用ボタン３７，３８，３９，４０は、上方に突出する方向用操作部３７Ａ，３８Ａ，３９Ａ，４０Ａと下方に突出する方向用押圧部３７Ｂ，３８Ｂ，３９Ｂ，４０Ｂからなっている。ここに、中央操作部３６Ａと方向用操作部３７Ａ，３８Ａ，３９Ａ，４０Ａの各上面は、同一平面になるように高さが揃えられているが、中央押圧部３６Ｂの下面は方向用押圧部３７Ｂ，３８Ｂ，３９Ｂ，４０Ｂの下面位置より少し上方に位置し、中央押圧部３６Ｂの下面は絶縁シート３３の上面に当接するように構成されている。
【００２９】
そして、中央操作部３６Ａと方向用操作部３７Ａ，３８Ａ，３９Ａ，４０Ａは電子機器の操作パネル４１に設けられたボタン孔４１Ａから上方にそれぞれ突出している。
【００３０】
このように電子機器に搭載されたパネルスイッチにおいて、まず中央のボタン孔４１Ａから突出した中央ボタン３６の中央操作部３６Ａを押圧すると、中央押圧部３６Ｂ下面が絶縁シート３３を介して可動接点２８のドーム状頂点部を押圧し、その押圧力が所定の大きさを超えると図３の動作を説明する断面図に示すように、可動接点２８のドーム状部分が下方凸形に弾性変形して、ドーム状頂点部の下面が下方に対面している中央固定接点２２に接触し、可動接点２８を介して常接固定接点２３と中央固定接点２２間が導通する。なお、このとき４つの舌片２９〜３２は各方向用固定接点２４〜２７に対して所定間隔を保ったままである。
【００３１】
そして、加えていた押圧力を解除すると、可動接点２８のドーム状部分が元の上方に膨らんだ状態に自身の弾性力で自己復元して、可動接点２８が中央固定接点２２から離れ、またその復元動作に応じて絶縁シート３３を介して中央ボタン３６の中央押圧部３６Ｂ下面に上方への付勢力が加わり、元の図２に示す状態に戻る。
【００３２】
次に、操作パネル４１から突出した右側の方向用ボタン３７の方向用操作部３７Ａを押圧すると、図４の動作を説明する断面図に示すように、下方に突出した方向用押圧部３７Ｂ下面が絶縁シート３３を介して可動接点２８の右側位置に形成されている舌片２９を押圧し、その舌片２９が下方に弾性変形して下方に対面した方向用固定接点２４に接触して、可動接点２８を介して常接固定接点２３と方向用固定接点２４間が導通する。このとき、舌片２９が方向用固定接点２４の両隣に位置する常接固定接点２３に接触することがないように、各部位の寸法設定や配置位置設定をしている。また、このとき他の３つの舌片３０〜３２は各方向用固定接点２５〜２７に対して所定間隔を保ったままである。
【００３３】
そして、方向用ボタン３７に加えていた押圧力を解除すると、舌片２９自身の弾性力で撓みが元に戻り、方向用固定接点２４から離れて元の図２に示す状態に戻る。
【００３４】
なお、前後の方向用ボタン３９，４０および左側の方向用ボタン３８を押圧した場合も、上述の動作とまったく同じであるため、説明は省略する。
【００３５】
この各方向用ボタン３７，３８，３９，４０を押圧する動作において、舌片２９，３０，３１，３２に対応した位置には絶縁シート３３下面の粘着剤３４が設けられていない構成にしているため、押圧された際や押圧を解除された際の舌片２９，３０，３１，３２の弾性変形動作が支障なく行えて、押圧操作とその解除に対応した追従性の良い動作状態のものが得られる。
【００３６】
このように本実施の形態によれば、直交する４方向に舌片２９，３０，３１，３２を備えさせたドーム状に膨らんだ一つの可動接点２８によって、絶縁シート３３の上方から可動接点２８のドーム状の頂点部を押圧すれば、ドーム状の頂点部下面が下方に対面した中央固定接点２２に接触し、前後左右に設けられた舌片２９，３０，３１，３２部分を押圧すれば、その舌片２９，３０，３１，３２が下方に対面した方向用固定接点２４，２５，２６，２７それぞれに接触するので、中央部と前後左右位置のそれぞれで機能する小型のパネルスイッチが得られ、可動接点の使用数を削減して小型で安価なパネルスイッチを提供することができる。
【００３７】
なお、可動接点２８の舌片２９，３０，３１，３２を形成するためのスリット２８Ａは平行間隔であることに限られるものではなく、舌片２９，３０，３１，３２が容易に撓むように形成できるものであれば良い。また、舌片２９，３０，３１，３２を可動接点２８の略円形の外周縁より外方に突出するように形成してパネルスイッチを構成しても良い。
【００３８】
そして、電子機器に搭載された際に組み合わされる操作ボタン３５についても、中央押圧部３６Ｂの下面と方向用押圧部３７Ｂ，３８Ｂ，３９Ｂ，４０Ｂの下面との段差は、可動接点２８のドーム状の膨らみに応じた段差に合わせると良いが、特に限定されない。例えば、各方向用に機能させるスイッチの操作ストロークを長くするために、方向用押圧部３７Ｂ，３８Ｂ，３９Ｂ，４０Ｂを短くしてその下面を中央押圧部３６Ｂの下面位置より上方位置にするなどとしても良い。
【産業上の利用可能性】
【００３９】
本発明によるパネルスイッチは、１つの可動接点で５つのスイッチ機能を備えさせたものにできるため、使用部品点数を削減して、小型で安価なものを提供できるという有利な効果を有し、各種電子機器の操作部等に有用である。
【図面の簡単な説明】
【００４０】
【図１】本発明の一実施の形態によるパネルスイッチの分解斜視図
【図２】同電子機器に搭載された状態における図１のＰ−Ｐ方向断面図
【図３】同電子機器に搭載されたパネルスイッチの動作を説明する断面図
【図４】同電子機器に搭載されたパネルスイッチの動作を説明する断面図
【図５】従来のパネルスイッチの分解斜視図
【図６】同電子機器に搭載された状態における図５のＱ−Ｑ方向断面図
【符号の説明】
【００４１】
２１  回路基板
２２  中央固定接点
２２Ａ，２３Ａ，２４Ａ，２５Ａ，２６Ａ，２７Ａ  スルーホール
２３  常接固定接点
２４，２５，２６，２７  方向用固定接点
２８  可動接点
２８Ａ  スリット
２９，３０，３１，３２  舌片
３３  絶縁シート
３４  粘着剤
３５  操作ボタン
３６  中央ボタン
３６Ａ  中央操作部
３６Ｂ  中央押圧部
３７，３８，３９，４０  方向用ボタン
３７Ａ，３８Ａ，３９Ａ，４０Ａ  方向用操作部
３７Ｂ，３８Ｂ，３９Ｂ，４０Ｂ  方向用押圧部
４１  操作パネル
４１Ａ  ボタン孔
【図１】
2010140735.tif 000003
【図２】
2010140735.tif 000004
【図３】
2010140735.tif 000005
【図４】
2010140735.tif 000006
【図５】
2010140735.tif 000007
【図６】
2010140735.tif 000008